(57)【要約】【課題】開口部を容易に開閉しうる。【解決手段】  床下に物品を収納するための床下収納構造である。この床下収納構造には、相対的な低い位置に床面２Ｓを有する低床部２、該低床部２よりも高い位置に床面３Ｓを有する高床部３、及び、低床部２と高床部３とをつないで上下にのびる立上がり部１１を有する段差床４の高床部３の内部に、物品を収納するための収納空間５が設けられている。高床部３の床面３Ｓには、収納空間５に物品を出し入れするための開口部３０が設けられている。開口部３０は、蓋体３１によって閉じられている。蓋体３１は、水平方向で低床部２側に向かって引き出し可能に設けられ、この引き出しによって開口部３０を露出させる。【選択図】  図１
2014047486.tif 000002
【特許請求の範囲】
【請求項１】
床下に物品を収納するための床下収納構造であって、
相対的な低い位置に床面を有する低床部、該低床部よりも高い位置に床面を有する高床部、及び、前記低床部と前記高床部とをつないで上下にのびる立上がり部を有する段差床の前記高床部の内部に、前記物品を収納するための収納空間が設けられており、
前記高床部の前記床面には、前記収納空間に前記物品を出し入れするための開口部が設けられ、
前記開口部は、蓋体によって閉じられており、
前記蓋体は、前記高床部の床面の一部を構成する上面部と、この上面部の縁から下方にのびかつ前記立上がり部の一部を構成する端面部とを有し、
しかも、前記蓋体は、水平方向で前記低床部側に向かって引き出し可能に設けられ、この引き出しによって前記開口部を露出させることを特徴とする床下収納構造。
【請求項２】
前記開口部が前記蓋体で閉じられた閉状態において、前記蓋体の前記上面部は、前記高床部と同一の高さで連続しかつ同一の仕上げ材が用いられている請求項１に記載の床下収納構造。
【請求項３】
前記開口部が前記蓋体で閉じられた閉状態において、前記蓋体の前記端面部は、上面視において、前記立上がり部と同一面で連続しかつ同一材料が用いられている請求項１又は２に記載の床下収納構造。
【請求項４】
前記立上がり部は、前記低床部からのびる立上がり主部と、この立上がり主部から水平方向で前記低床部側に突出ししかも立上がり主部の上部側に配された上り框とを含み、
前記蓋体の前記端面部は、前記上り框の一部を構成している請求項１乃至３のいずれかに記載の床下収納構造。
【請求項５】
前記開口部が前記蓋体で閉じられた閉状態において、前記蓋体の前記端面部の裏面と、前記立上がり主部との間には、手指を挿入可能な隙間が設けられている請求項４記載の床下収納構造。
【請求項６】
前記高床部の仕上げ材は、フローリングを構成する板材又は畳であり、
前記高床部の上面視において、前記開口部は、前記立上がり部から奥行き方向にのびる左右の縦縁を含み、
前記左右の縦縁は、前記仕上げ材の目地模様と連続している請求項１乃至５のいずれかに記載の床下収納構造。
【請求項７】
前記高床部の仕上げ材は、フローリングを構成する板材又は畳であり、
前記高床部の上面視において、前記開口部は、前記立上がり部から奥行き方向にのびる左右の縦縁と、この左右の縦縁を継ぐ横縁とを有し、
しかも、前記高床部には、前記横縁が単位目地の一つを構成するように、前記横縁と同長さの擬似目地が、前記横縁の両側に設けられている請求項１乃至６のいずれかに記載の床下収納構造。
【請求項８】
前記開口部には、前記蓋体を引き出し可能に案内するスライド部材を具える請求項１乃至７のいずれかに記載の床下収納構造。
【発明の詳細な説明】
【技術分野】
【０００１】
本発明は、開口部を容易に開閉しうる床下収納構造に関する。
【背景技術】
【０００２】
従来、床下に、物品を収納するための収納空間を設けた床下収納構造が提案されている。この種の床下収納構造は、図７に示されるように、例えば、床ａの床面に開口部ｂを有する収納空間ｃ、該開口部ｂを閉じる蓋体ｄ、開口部ｂと蓋体ｄとを水平軸回りに回転可能に連結するヒンジｅ、及び、蓋体ｄの内部に収納可能に配置される回転取手ｆを含んでいる（下記特許文献１参照）。
【０００３】
また、蓋体ｄは、床ａとしての機能を確保するために、十分な強度を有する部材から形成されている。従って、蓋体ｄは、一般に大きな質量を有している。
【先行技術文献】
【特許文献】
【０００４】
【特許文献１】特開２００７−５６４５７号公報
【発明の概要】
【発明が解決しようとする課題】
【０００５】
しかしながら、上記のような床下収納構造では、開口部ｂを開閉する際に、大きな質量を有する蓋体ｄを、重力に逆らって上側に持ち上げる必要がある。このため、開口部ｂの開閉に労力を有するという問題があった。さらに、開口部ｂを露出させた状態においては、蓋体ｄが略垂直に立ち上がっているため、使用者と蓋体ｄとの接触等により、蓋体ｄが重力に従って、勢いよく閉まるおそれもあった。
【０００６】
本発明は、以上のような実状に鑑み案出されたもので、蓋体を、水平方向に引き出し可能に設け、この引き出しによって開口部を露出させることを基本として、開口部を容易に開閉しうる床下収納構造を提供することを主たる目的としている。
【課題を解決するための手段】
【０００７】
本発明のうち請求項１記載の発明は、床下に物品を収納するための床下収納構造であって、相対的な低い位置に床面を有する低床部、該低床部よりも高い位置に床面を有する高床部、及び、前記低床部と前記高床部とをつないで上下にのびる立上がり部を有する段差床の前記高床部の内部に、前記物品を収納するための収納空間が設けられており、前記高床部の前記床面には、前記収納空間に前記物品を出し入れするための開口部が設けられ、前記開口部は、蓋体によって閉じられており、前記蓋体は、前記高床部の床面の一部を構成する上面部と、この上面部の縁から下方にのびかつ前記立上がり部の一部を構成する端面部とを有し、しかも、前記蓋体は、水平方向で前記低床部側に向かって引き出し可能に設けられ、この引き出しによって前記開口部を露出させることを特徴とする。
【０００８】
また、請求項２記載の発明は、前記開口部が前記蓋体で閉じられた閉状態において、前記蓋体の前記上面部は、前記高床部と同一の高さで連続しかつ同一の仕上げ材が用いられている請求項１に記載の床下収納構造である。
【０００９】
また、請求項３記載の発明は、前記開口部が前記蓋体で閉じられた閉状態において、前記蓋体の前記端面部は、上面視において、前記立上がり部と同一面で連続しかつ同一材料が用いられている請求項１又は２に記載の床下収納構造である。
【００１０】
また、請求項４記載の発明は、前記立上がり部は、前記低床部からのびる立上がり主部と、この立上がり主部から水平方向で前記低床部側に突出ししかも立上がり主部の上部側に配された上り框とを含み、前記蓋体の前記端面部は、前記上り框の一部を構成している請求項１乃至３のいずれかに記載の床下収納構造である。
【００１１】
また、請求項５記載の発明は、前記開口部が前記蓋体で閉じられた閉状態において、前記蓋体の前記端面部の裏面と、前記立上がり主部との間には、手指を挿入可能な隙間が設けられている請求項４記載の床下収納構造である。
【００１２】
また、請求項６記載の発明は、前記高床部の仕上げ材は、フローリングを構成する板材又は畳であり、前記高床部の上面視において、前記開口部は、前記立上がり部から奥行き方向にのびる左右の縦縁を含み、前記左右の縦縁は、前記仕上げ材の目地模様と連続している請求項１乃至５のいずれかに記載の床下収納構造である。
【００１３】
また、請求項７記載の発明は、前記高床部の仕上げ材は、フローリングを構成する板材又は畳であり、前記高床部の上面視において、前記開口部は、前記立上がり部から奥行き方向にのびる左右の縦縁と、この左右の縦縁を継ぐ横縁とを有し、しかも、前記高床部には、前記横縁が単位目地の一つを構成するように、前記横縁と同長さの擬似目地が、前記横縁の両側に設けられている請求項１乃至６のいずれかに記載の床下収納構造である。
【００１４】
また、請求項８記載の発明は、前記開口部には、前記蓋体を引き出し可能に案内するスライド部材を具える請求項１乃至７のいずれかに記載の床下収納構造である。
【発明の効果】
【００１５】
本発明の床下収納構造は、相対的な低い位置に床面を有する低床部、該低床部よりも高い位置に床面を有する高床部、及び、低床部と高床部とをつないで上下にのびる立上がり部を有する段差床の高床部の内部に、物品を収納するための収納空間が設けられている。
【００１６】
高床部の床面には、収納空間に物品を出し入れするための開口部が設けられている。開口部は、蓋体によって閉じられている。蓋体は、高床部の床面の一部を構成する上面部と、この上面部の縁から下方にのびかつ立上がり部の一部を構成する端面部とを有する。このような蓋体は、高床部、及び、立上がり部と一体感を有して構成されるため、段差床の美観の低下を抑制しうる。
【００１７】
蓋体は、水平方向で低床部側に向かって引き出し可能に設けられ、この引き出しによって、開口部を露出させる。このように、本発明の床下収納構造では、蓋体を上に持ち上げることなく、水平方向に移動させることで、開口部を容易に露出させることができる。従って、本発明によれば、開口部を容易に開閉することができる。しかも、蓋体は、引き出しによって開口部を露出させるため、重力に従って勢いよく閉まることもない。
【図面の簡単な説明】
【００１８】
【図１】本実施形態の床下収納構造の一例を示す全体斜視図である。
【図２】図１のＡ−Ａ断面図である。
【図３】図１の上面図である。
【図４】（ａ）は、開口部が蓋体で閉じられた閉状態の断面図、（ｂ）は、（ａ）のＢ−Ｂ断面図である。
【図５】（ａ）は、図４（ａ）の斜視図、（ｂ）は、蓋体が引き出された状態を説明する斜視図である。
【図６】スライド手段を説明する断面図である。
【図７】従来の床下収納構造を示す断面図である。
【発明を実施するための形態】
【００１９】
以下、本発明の実施の一形態が図面に基づき説明される。
本発明の床下収納構造は、床下に物品を収納するためのものである。本実施形態では、図１、及び、図２に示されるように、床下収納構造が、例えば、住宅等の玄関に設置される場合が例示されている。床下収納構造は、高さの異なる床面２Ｓ、３Ｓを有する段差床４の内部に、物品を収納するための収納空間５が設けられている。
【００２０】
段差床４は、相対的な低い位置に床面２Ｓを有する低床部２、該低床部２よりも高い位置に床面３Ｓを有する高床部３、及び、低床部２と高床部３とをつなぐ立上がり部１１を有する。本実施形態の収納空間５は、高床部３の内部に形成されている。
【００２１】
また、段差床４には、土台６等を支持する基礎７、及び、該基礎７と高床部３とで囲まれる床下空間８が設けられている。図２に示されるように、基礎７は、地中内で水平にのびるベース部７Ａと、該ベース部７Ａの幅方向の略中央から上方へのびる垂直部７Ｂとを含んで構成されている。また、床下空間８には、その底面に配置される土間コンクリート９、及び、土間コンクリート９から上方に突出する束１２が設けられている。さらに、床下空間８には、束１２に支持される大引１３、及び、大引１３に支持される根太１４が配置されている。この根太１４は、高床部３を支持している。
【００２２】
本実施形態の低床部２は、玄関土間である。図１、及び、図２に示されるように、低床部２は、基礎７の垂直部７Ｂの側面から水平に敷設される土間コンクリート１５と、土間コンクリート１５の上に配置される玄関タイル等の化粧材１６とを含んで構成されている。
【００２３】
高床部３は、下地材１８と、下地材１８の上面に固着される仕上げ材１９とを含んで構成されている。下地材１８は、土台６、及び、根太１４に支持されている。また、本実施形態の仕上げ材１９は、例えば、平面視細長矩形状に形成された木質の板材からなる。
【００２４】
仕上げ材１９は、図１に示されるように、その幅方向の両縁１９ｓ、１９ｓが、段差床４の奥行き方向Ｘと平行に複数個配置されている。これにより、高床部３の床面３Ｓには、上面視において、仕上げ材１９、１９間に、奥行き方向Ｘにのびる目地模様２０を有するフローリングが形成される。
【００２５】
立上がり部１１は、図１、及び、図２に示されるように、低床部２と高床部３とをつないで上下にのびている。この立上がり部１１は、低床部２から上方にのびる立上がり主部２３と、この立上がり主部２３から水平方向で低床部２側に突出する上り框２４とを含んで構成されている。
【００２６】
図２に示されるように、立上がり主部２３は、基礎７の垂直部７Ｂと、垂直部７Ｂの上面に支持される土台６とを含んで構成されている。また、本実施形態の土台６は、垂直部７Ｂの上面に配置される下の土台６Ａと、該下の土台６Ａの上面に配置される上の土台６Ｂとを含んでいる。
【００２７】
上の土台６Ｂは、下の土台６Ａよりも幅が大きい断面横長矩形状に形成されている。また、上の土台６Ｂは、下の土台６Ａよりも、水平方向で低床部２側に突出して配置されている。さらに、上の土台６Ｂの上面６ｕと、根太１４の上面１４ｕとは、同一高さに設定されている。
【００２８】
上り框２４は、立上がり主部２３の上部側に配置されている。本実施形態の上り框２４は、高床部３の下地材１８の上面に固着される水平部２６と、該水平部２６から、下方へのびる垂下部２７とを含んでいる。これにより、上り框２４は、断面Ｌ字状に形成される。
【００２９】
水平部２６は、水平方向で、仕上げ材１９から低床部２側にのびている。また、垂下部２７は、水平部２６から上の土台６Ｂの側面に沿って下方にのびている。さらに、垂下部２７の下端２７ｔは、低床部２の床面２Ｓに至ることなく終端している。このような上り框２４は、仕上げ材１９の端縁、及び、土台６を目隠しでき、段差床４の美観を向上させるのに役立つ。
【００３０】
段差床４には、図１、図２、及び、図３に示されるように、高床部３の床面３Ｓに、収納空間５に物品を出し入れするための開口部３０が設けられている。この開口部３０は、図４（ａ）、（ｂ）に示されるように、蓋体３１によって閉じられる。
【００３１】
本実施形態の開口部３０は、図３に示される上面視において、立上がり部１１の上り框２４から高床部３にかけて、平面視略矩形状に切り欠いて形成されている。これにより、開口部３０は、立上がり部１１から奥行き方向Ｘにのびる左右の縦縁３０ｓ、３０ｓと、この左右の縦縁３０ｓ、３０ｓを継ぐ横縁３０ｔとで区画されている。
【００３２】
本実施形態の左右の縦縁３０ｓ、３０ｓは、根太１４、１４の上面１４ｕに設けられている。これにより、開口部３０には、根太１４、１４の上面１４ｕの一部が、左右の縦縁３０ｓ、３０ｓに沿って露出している。また、開口部３０には、水平方向の低床部２側に、立上がり部１１の上の土台６Ｂが露出している。これにより、図４（ａ）に示される開口部３０が蓋体３１で閉じられた閉状態において、蓋体３１が、根太１４、１４、及び、上の土台６Ｂに支持される。なお、縦縁３０ｓに根太１４が配置されない場合は、例えば、根太１４に代えて、奥行き方向Ｘと平行に配置される補強材（図示省略）が配置されてもよい。
【００３３】
図１に示されるように、蓋体３１は、水平にのびる上面部３５と、この上面部３５の縁から下方にのびる端面部３６とを有する。これにより、蓋体３１は、側面視Ｌ字状に形成される。
【００３４】
図３に示されるように、上面部３５は、奥行き方向Ｘにのびる左右の縦縁３５ｓ、３５ｓと、この左右の縦縁３５ｓ、３５ｓを継ぐ一対の横縁３５ｔ、３５ｔとを有している。これにより、上面部３５は、上面視において、矩形状に形成される。
【００３５】
また、上面部３５は、図４（ａ）に示されるように、閉状態において、水平方向で高床部３側の横縁３５ｔが、開口部３０の横縁３０ｔに向きあって配置される。さらに、図４（ｂ）に示されるように、上面部３５の左右の縦縁３５ｓ、３５ｓが、開口部３０の左右の縦縁３０ｓ、３０ｓに向きあって配置される。これにより、上面部３５は、図５（ａ）に示されるように、開口部３０を覆うことができる。
【００３６】
図２に示されるように、本実施形態の上面部３５は、下地材３８と、下地材３８の上面に固着される仕上げ材３９と、仕上げ材３９に対して水平方向の低床部２側で、下地材３８の上面に固着される水平部４０とを含んで構成されている。
【００３７】
下地材３８は、高床部３の一部としての機能を確保するために、例えば十分な強度を有する合板等から形成されている。この下地材３８は、図４（ａ）、（ｂ）に示されるように、開口部３０で露出する根太１４の上面１４ｕ、及び、上の土台６Ｂの上面６ｕに、水平方向に摺動可能に載置されている。
【００３８】
これにより、蓋体３１は、図５（ａ）、（ｂ）に示されるように、左右の縦縁３５ｓ、３５ｓが、開口部３０の左右の縦縁３０ｓ、３０ｓに案内されて、水平方向で低床部２側に引き出し可能に設けられる。この蓋体３１の引き出しによって、図５（ｂ）に示されるように、開口部３０を露出させることができる。また、蓋体３１は、水平方向で高床部３側に向かって押し込むことにより、図５（ａ）に示されるように、開口部３０を閉じることができる。
【００３９】
このように、本発明の床下収納構造では、蓋体３１を上に持ち上げることなく、水平方向の移動によって、開口部３０を容易に露出させることができる。これにより、使用者は、最小限の労力で、開口部３０を開閉することができる。しかも、蓋体３１は、従来の床下収納構造のように、重力に従って勢いよく閉まることもない。さらに、本発明では、例えば、ガススプリング等の開閉補助機構を設ける必要がないため、製造コストの増大も防ぐことができる。
【００４０】
図６に拡大して示されるように、蓋体３１の左右の縦縁３５ｓ、３５ｓと、開口部３０の左右の縦縁３０ｓ、３０ｓとの間には、該蓋体３１を引き出し可能に円滑に案内するスライド手段４１が設けられるのが望ましい。
【００４１】
本実施形態のスライド手段４１は、例えば、２段引きスライドレールからなる。この  スライド手段４１は、蓋体３１の下地材３８の各縦縁３５ｓ、３５ｓに固着されるインナーレール４１ｉ、開口部３０の各縦縁３０ｓ、３０ｓに固着されるアウターレール４１ｏ、及び、インナーレール４１ｉとアウターレール４１ｏとの間で転動可能に配置されるボール体４１ｂを含んで構成される。また、スライド手段４１は、例えば、蓋体３１の下地材３８を、仕上げ材３９よりも幅狭に形成することによって形成される隙間４３に、奥行き方向Ｘに沿って配置されている。
【００４２】
このようなスライド手段４１は、蓋体３１と段差床４との間で生じる摩擦を抑えて、該蓋体３１を奥行き方向Ｘにスムーズに案内することができる。従って、スライド手段４１は、蓋体３１の開閉時の労力をさらに削減することができる。また、スライド手段４１は、蓋体３１の上下左右の位置ズレも防ぐことができるため、蓋体３１と段差床４との衝突等によって生じがちな蓋体３１の左右の縦縁３５ｓ、３５ｓ、及び、開口部３０の左右の縦縁３０ｓ、３０ｓの破損を防ぐことができる。これにより、本実施形態では、蓋体３１の各縦縁３５ｓ、３５ｓや、開口部３０の各縦縁３０ｓ、３０ｓ等に、補強用の見切り材を配置する必要がないため、段差床４の美観の低下を防ぐことができる。
【００４３】
また、蓋体３１には、過度の引き出しを防ぐストッパ（図示省略）が設けられるのが望ましい。このようなストッパは、蓋体３１が、高床部３側から低床部２側に落下するのを防ぐことができる。なお、ストッパは、スライド手段４１で構成されるのが望ましい。
【００４４】
図４（ａ）、及び、図５（ａ）に示されるように、本実施形態の上面部３５の仕上げ材３９は、閉状態において、高床部３の仕上げ材１９と同一の高さで連続している。さらに、仕上げ材３９には、高床部３の仕上げ材１９と同一のものが用いられている。これにより、上面部３５は、高床部３の床面３Ｓの目地模様２０を連続させることができ、高床部３の床面３Ｓの一部を構成することができる。
【００４５】
また、上面部３５の水平部４０は、閉状態において、上り框２４の水平部２６と同一高さで連続している。さらに、水平部４０は、上り框２４と同一材料が用いられている。これにより、水平部４０は、上り框２４の水平部２６の一部を構成することができる。
【００４６】
図４（ａ）に示されるように、本実施形態の端面部３６は、上面部３５の水平部４０と一体に形成されている。また、端面部３６は、水平部４０の縁から下地材３８の側面に沿って下方へのびている。さらに、図５（ａ）に示されるように、端面部３６の下端３６ｔは、上り框２４の垂下部２７の下端２７ｔと同一高さで終端している。
【００４７】
また、端面部３６は、閉状態の上面視において、立上がり部１１の垂下部２７と同一面で連続している。さらに、端面部３６は、立上がり部１１の上り框２４と同一材料が用いられている。これにより、端面部３６は、上り框２４の垂下部２７の一部を構成することができる。
【００４８】
このように、本実施形態の上面部３５、及び、端面部３６は、高床部３、及び、上り框２４と一体感を有して構成されるため、段差床４の美観の低下を防ぐことができる。
【００４９】
また、図５（ａ）に示されるように、閉状態の上面視において、蓋体３１の上面部３５の各縦縁３５ｓ、３５ｓと、開口部３０の各縦縁３０ｓ、３０ｓとの間には、奥行き方向Ｘにのびる一対の目地模様４４、４４が形成される。この目地模様４４、４４と、高床部３の床面３Ｓの目地模様２０とを奥行き方向Ｘで連続させるために、開口部３０の左右の縦縁３０ｓ、３０ｓが、仕上げ材１９の目地模様２０と、奥行き方向Ｘで連続して形成されるのが望ましい。これにより、蓋体３１と段差床４との一体感を向上させることができるため、段差床４の美観の低下を防ぐことができる。
【００５０】
さらに、上面部３５の水平方向で高床部３側の横縁３５ｔと、開口部３０の横縁３０ｔとの間には、奥行き方向Ｘにのびる一対の目地模様４４、４４間を継ぐ横の目地模様４５が形成される。このような横の目地模様４５を、高床部３の単位目地の一つとして構成させるために、図１に示されるように、横縁３０ｔの両側に、該横縁３０ｔと同長さの擬似目地３３、３３が設けられるのが望ましい。これにより、蓋体３１と段差床４との一体感をさらに向上させることができるため、段差床４の美観の低下を効果的に防ぐことができる。なお、本実施形態の擬似目地３３は、仕上げ材１９、１９間に形成される本来の目地ではなく、例えば、仕上げ材１９の上面に塗布される塗料や、溝等によって形成されている。
【００５１】
また、図４（ａ）に示される閉状態において、蓋体３１の端面部３６の裏面３６ｂと、立上がり主部２３との間には、使用者の手指を挿入することができる隙間４２が形成されるのが望ましい。このような隙間４２により、使用者は、端面部３６の裏面３６ｂに、手指を引っ掛けることができるため、蓋体３１を容易に引き出すことができる。これにより、蓋体３１に、例えば、取手（図示省略）を設ける必要がないため、段差床４の美観の低下や、製造コストの上昇を防ぐことができる。
【００５２】
本実施形態の床下収納構造は、建物の玄関に設置されるものが例示されたが、これに限定されるわけではない。例えば、床下収納構造は、建物の居室内にも設置することができる。さらに、本実施形態では、高床部３の仕上げ材１９が、フローリングを構成する板材である場合が例示されたが、例えば、畳や羽目板等であってもよい。
【００５３】
以上、本発明の特に好ましい実施形態について詳述したが、本発明は図示の実施形態に限定されることなく、種々の態様に変形して実施しうる。
【符号の説明】
【００５４】
２      低床部
３      高床部
４      段差床
５      収納空間
１１      立上がり部
３０      開口部
３１      蓋体
【図１】
2014047486.tif 000003
【図２】
2014047486.tif 000004
【図３】
2014047486.tif 000005
【図４】
2014047486.tif 000006
【図５】
2014047486.tif 000007
【図６】
2014047486.tif 000008
【図７】
2014047486.tif 000009